(57)【要約】【課題】  容器に対して安定して装着される容器装着具を提供する。【解決手段】  容器装着具は、出口部の外周から外方に突出する第１凸部及び第２凸部を有する容器に、装着される容器装着具であって、第１凸部及び第２凸部間に配置され、第１凸部に接するベース部と、ベース部の表面から第２凸部に向けて突出し、第２凸部に接する突出部と、を備える。【選択図】  図８
2020158123.tif 000002
【特許請求の範囲】
【請求項１】
出口部の外周から外方に突出する第１凸部及び第２凸部を有する容器に、装着される容器装着具であって、
前記第１凸部及び前記第２凸部間に配置され、前記第１凸部に接するベース部と、
前記ベース部の表面から前記第２凸部に向けて突出し、前記第２凸部に接する突出部と、を備える、容器装着具。
【請求項２】
前記ベース部は、所定方向の一端が開放される開口部を備え、
前記突出部は、前記所定方向に沿って延びる、請求項１に記載の容器装着具。
【請求項３】
出口部の外周から外方に突出する第１凸部及び第２凸部を有する容器に、装着される容器装着具であって、
分離可能な第１装着体及び第２装着体を備え、
前記第１装着体は、前記第１凸部及び前記第２凸部間に配置されて前記第１凸部に接する第１ベース部を備え、
前記第２装着体は、前記第１凸部及び前記第２凸部間に配置されて前記第２凸部に接する第２ベース部と、前記第２ベース部の表面から前記第１ベース部に向けて突出し、前記第１ベース部に接する突出部と、を備える、容器装着具。
【請求項４】
出口部の外周から外方に突出する第１凸部及び第２凸部を有する容器に、装着される容器装着具であって、
分離可能な第１装着体及び第２装着体を備え、
前記第１装着体は、前記第１凸部及び前記第２凸部間に配置されて前記第１凸部に接する第１ベース部と、
前記第２装着体は、前記第１凸部及び前記第２凸部間に配置されて前記第１ベース部に接する第２ベース部と、前記第２ベース部の表面から前記第２凸部に向けて突出し、前記第２凸部に接する突出部と、を備える、容器装着具。
【請求項５】
前記容器を浮かして対象物に取り付けるための取付部を備え、
前記取付部は、前記第１ベース部及び前記第２ベース部のうち、下方側に配置されるベース部に固定される、請求項３又は４に記載の容器装着具。
【発明の詳細な説明】
【技術分野】
【０００１】
本発明は、容器装着具に関する。
【背景技術】
【０００２】
従来、例えば、容器装着具は、出口部の外周から外方に突出する凸部を有する容器に装着されている（例えば、特許文献１及び２）。具体的には、容器装着具が開口部を備えており、開口部の内縁部が容器の凸部に引っ掛かることによって、容器装着具が容器に装着されている。これにより、開口部の内縁部が単に引っ掛かっているだけのため、容器装着具は、容器に対して不安定に装着されている。
【０００３】
例えば、特許文献１に係る容器装着具は、平板状のベース部を備えており、開口部は、ベース部に設けられている。なお、ベース部は、剛性を有している。また、例えば、特許文献２に係る容器装着具は、シート体と、シート体に可動に固定されるシート状の爪部とを備えており、開口部の内縁部は、シート体と爪部とによって構成されている。なお、シート体及び爪部は、一枚のシートから形成されており、弾性又は軟性を有している。
【先行技術文献】
【特許文献】
【０００４】
【特許文献１】特開２０１８−４７９２８号公報
【特許文献２】特開２００９−１６５５３４号公報
【発明の概要】
【発明が解決しようとする課題】
【０００５】
そこで、課題は、容器に対して安定して装着される容器装着具を提供することである。
【課題を解決するための手段】
【０００６】
容器装着具は、出口部の外周から外方に突出する第１凸部及び第２凸部を有する容器に、装着される容器装着具であって、前記第１凸部及び前記第２凸部間に配置され、前記第１凸部に接するベース部と、前記ベース部の表面から前記第２凸部に向けて突出し、前記第２凸部に接する突出部と、を備える。
【０００７】
また、容器装着具においては、前記ベース部は、所定方向の一端が開放される開口部を備え、前記突出部は、前記所定方向に沿って延びる、という構成でもよい。
【０００８】
また、容器装着具は、出口部の外周から外方に突出する第１凸部及び第２凸部を有する容器に、装着される容器装着具であって、分離可能な第１装着体及び第２装着体を備え、前記第１装着体は、前記第１凸部及び前記第２凸部間に配置されて前記第１凸部に接する第１ベース部を備え、前記第２装着体は、前記第１凸部及び前記第２凸部間に配置されて前記第２凸部に接する第２ベース部と、前記第２ベース部の表面から前記第１ベース部に向けて突出し、前記第１ベース部に接する突出部と、を備える。
【０００９】
また、容器装着具は、出口部の外周から外方に突出する第１凸部及び第２凸部を有する容器に、装着される容器装着具であって、分離可能な第１装着体及び第２装着体を備え、前記第１装着体は、前記第１凸部及び前記第２凸部間に配置されて前記第１凸部に接する第１ベース部と、前記第２装着体は、前記第１凸部及び前記第２凸部間に配置されて前記第１ベース部に接する第２ベース部と、前記第２ベース部の表面から前記第２凸部に向けて突出し、前記第２凸部に接する突出部と、を備える。
【００１０】
また、容器装着具は、前記容器を浮かして対象物に取り付けるための取付部を備え、前記取付部は、前記第１ベース部及び前記第２ベース部のうち、下方側に配置されるベース部に固定される、という構成でもよい。
【図面の簡単な説明】
【００１１】
【図１】図１は、一実施形態に係る容器体の斜視図である。
【図２】図２は、同実施形態に係る容器体の正面図である。
【図３】図３は、同実施形態に係る容器体の側面図である。
【図４】図４は、同実施形態に係る容器体の分解斜視図である。
【図５】図５は、同実施形態に係る容器装着具（装着体）の斜視図である。
【図６】図６は、同実施形態に係る容器の要部正面図である。
【図７】図７は、同実施形態に係る容器体の一部を断面で示した要部側面図である。
【図８】図８は、図７のVIII−VIII線断面図である。
【図９】図９は、同実施形態に係る容器体の一部を断面で示した側面図であって、装着体を容器に装着する方法を説明する図である。
【図１０】図１０は、同実施形態の一変形例に係る容器体の要部縦断面図である。
【図１１】図１１は、同実施形態の他の変形例に係る容器体の要部縦断面図である。
【図１２】図１２は、同実施形態のさらに他の変形例に係る容器体の要部縦断面図である。
【図１３】図１３は、同実施形態のさらに他の変形例に係る容器体の要部縦断面図である。
【図１４】図１４は、他の実施形態に係る装着体の斜視図である。
【図１５】図１５は、同実施形態に係る容器体の一部を断面で示した要部側面図である。
【図１６】図１６は、図１５のＸVI−ＸVI線断面図である。
【図１７】図１７は、同実施形態の一変形例に係る容器体の要部縦断面図である。
【図１８】図１８は、同実施形態の他の変形例に係る容器体の要部縦断面図である。
【図１９】図１９は、同実施形態のさらに他の変形例に係る容器体の要部縦断面図である。
【図２０】図２０は、さらに他の実施形態に係る装着体の斜視図である。
【図２１】図２１は、同実施形態に係る容器体の一部を断面で示した要部側面図である。
【図２２】図２２は、図２１のＸＸII−ＸＸII線断面図である。
【図２３】図２３は、同実施形態の一変形例に係る容器体の要部縦断面図である。
【図２４】図２４は、同実施形態の他の変形例に係る容器体の要部縦断面図である。
【発明を実施するための形態】
【００１２】
＜第１実施形態＞
以下、容器装着具における第１の実施形態について、図１〜図９を参照しながら説明する。なお、各図（図１０〜図２４も同様）において、図面の寸法比と実際の寸法比とは、必ずしも一致しておらず、また、各図面の間での寸法比も、必ずしも一致していない。
【００１３】
図１〜図４に示すように、本実施形態に係る容器体１は、内容物を収容する容器２と、容器２を保持する保持体３と、容器２を対象物Ｘ１に取り付ける取付体４とを備えている。なお、保持体３及び取付体４は、それぞれ容器２に装着されるため、装着体３，４ともいう。本実施形態においては、容器装着具１ａは、一つの装着体４から構成されている。本実施形態に係る容器体１においては、取付体４が、容器装着具１ａである。
【００１４】
容器２は、内容物を収容する容器本体２１と、容器本体２１に着脱可能な着脱体２２とを備えている。保持体３は、容器２に取り付けられる保持ベース部３１と、自立可能な脚部３２とを備えている。取付体４は、容器２に取り付けられる取付ベース部４１と、容器２を浮かして対象物Ｘ１に取り付けるための取付部４２とを備えている。
【００１５】
なお、取付部４２及び対象物Ｘ１の構成は、特に限定されない。取付部４２は、直接的又は間接的に対象物Ｘ１に取り付けられている、という構成であればよい。本実施形態においては、対象物Ｘ１は、壁Ｘ２の前に配置された棒（例えば、タオル掛け）であって、取付部４２は、対象物Ｘ１に引っ掛けられるフックを有している。
【００１６】
なお、例えば、対象物Ｘ１は、平坦状の壁であって、取付部４２は、吸着パッド、吸着シート又は滑り止めシート等を有してもよい。また、例えば、対象物Ｘ１は、磁性を有する壁であって、取付部４２は、磁石を有してもよい。また、例えば、対象物Ｘ１は、フックであって、取付部４２は、フックが挿入される孔等を有してもよい。また、例えば、対象物Ｘ１は、ベルト（例えば、ズボンのベルトループに通されて、ズボンに保持されているベルト）又はカバン等であって、取付部４２は、カラビナ又は紐等の別部材を介在させて、即ち、間接的に、対象物Ｘ１に取り付けられるように、当該別部材が挿入される孔等を有してもよい。
【００１７】
容器本体２１は、内容物を収容する収容部２１ａと、内容物を出すための出口部２１ｂとを備えている。出口部２１ｂは、筒状、具体的には、円筒状に形成されている。そして、出口部２１ｂは、着脱体２２と螺合するネジ部２１ｃを備えており、着脱体２２は、出口部２１ｂに着脱可能に構成されている。なお、着脱体２２の構成は、特に限定されない。本実施形態においては、着脱体２２は、ポンプディスペンサーとしているが、例えば、キャップとしてもよい。
【００１８】
保持体３は、容器２の収容部２１ａを収容している。そして、容器２は、保持体３の脚部３２によって、自立可能となっている。なお、収容部２１ａの構成は、特に限定されない。本実施形態においては、収容部２１ａは、シート体が袋状にされることによって、形成されているが、例えば、剛性を有するボトルとしてもよい。
【００１９】
また、保持体３は、壁Ｘ２に当たるために、外方へ突出する壁当部３３を備えている。そして、取付部４２が対象物Ｘ１に取り付けられた際に、壁当部３３が壁Ｘ２に当たることによって、容器２が保持体３に対して傾くことを抑制することができる。これにより、容器２が保持体３に対して適正な位置となるため、容器２が保持体３から外れることを抑制することができる。
【００２０】
図４に示すように、保持ベース部３１は、平板状に形成されている。そして、保持ベース部３１は、出口部２１ｂが挿入される開口部３１ａを備えている。なお、開口部３１ａの一端は、開放されている。そして、開口部３１ａは、出口部２１ｂを引っ掛けるために、内周部から内方へ突出する一対の引掛部３１ｂ，３１ｂを備えている。なお、保持体３の材質は、特に限定されない。例えば、保持体３は、硬質樹脂（例えば、プラスチック）又は金属とすることができる。
【００２１】
図４及び図５に示すように、取付ベース部４１は、出口部２１ｂが挿入される開口部４１ａを備えている。なお、開口部４１ａの一端は、開放されており、開口部４１ａは、当該一端から延びている。そして、開口部４１ａは、出口部２１ｂを引っ掛けるために、内周部から内方へ突出する一対の引掛部４１ｂ，４１ｂを備えている。
【００２２】
また、取付体４は、取付ベース部４１から突出する突出部４３，４３を備えている。突出部４３は、取付ベース部４１の表面から突出している。具体的には、取付ベース部４１は、板状に形成されており、突出部４３は、取付ベース部４１の一対の表面のうち、一方の表面（具体的には、下面）から、突出している。
【００２３】
そして、突出部４３は、取付ベース部４１の厚み方向に突出している。具体的には、取付ベース部４１の表面は、平面に形成されており、突出部４３は、取付ベース部４１の表面から、当該表面に対して直交する方向に突出している。
【００２４】
また、突出部４３は、平板状に形成されている。そして、突出部４３は、開口部４１ａが延びる方向に沿って、延びている。なお、突出部４３の個数は、特に限定されないが、本実施形態においては、突出部４３は、開口部４１ａを挟むように一対設けられている。
【００２５】
取付ベース部４１及び突出部４３は、それぞれ剛性を有しており、一体となっている。具体的には、突出部４３，４３は、取付ベース部４１に不動に固定されている。即ち、取付体４が容器２に装着されていない状態でも、突出部４３は、取付ベース部４１の表面から突出している。
【００２６】
なお、「剛性を有する」とは、例えば、指で持たれた等の通常の場合には、変形しないが、例えば、容器２に装着された際に大きな力が加えられた等の場合に、僅かに変形するような構成も含む。同様に、「不動に固定される」とは、例えば、指で持たれた等の通常の場合には、不動であるが、例えば、容器２に装着された際に大きな力が加えられた等の場合に、僅かに可動するような構成も含む。
【００２７】
また、取付体４の材質は、特に限定されない。例えば、取付体４は、硬質樹脂（例えば、プラスチック）又は金属とすることができる。さらに、例えば、取付体４の全体が、同じ材質で形成されてもよく、また、取付体４は、複数の材質で形成されてもよい。
【００２８】
また、例えば、取付ベース部４１及び突出部４３は、剛性を有するために、硬質樹脂で形成される場合には、０．１ｍｍ以上の厚みを有することが好ましく、また、０．５ｍｍ以上の厚みを有することがより好ましい。また、例えば、取付ベース部４１及び突出部４３は、剛性を有するために、金属で形成される場合には、０．５ｍｍ以上の厚みを有することが好ましく、また、１．０ｍｍ以上の厚みを有することがより好ましい。
【００２９】
図６に示すように、容器２は、出口部２１ｂの外周から外方に突出する複数の凸部２１ｄ〜２１ｆを備えている。凸部２１ｄ〜２１ｆの個数は、複数備えられていれば、特に限定されない。本実施形態においては、凸部２１ｄ〜２１ｆは、三つ備えられている。
【００３０】
また、凸部２１ｄ〜２１ｆの構成は、剛性を有していれば、特に限定されない。本実施形態においては、上方の凸部２１ｄは、第１フランジ部２１ｄであり、中間の凸部２１ｅは、第２フランジ部２１ｅであり、下方の凸部２１ｆは、収容部２１ａの肩部（以下、「容器肩部」ともいう）２１ｆである。本実施形態においては、容器肩部２１ｆは、出口部２１ｂから突出する第３フランジ部２１ｇに、シートが固定されることによって、剛性を有して形成されている。
【００３１】
本実施形態に係る容器体１の構成については以上の通りであり、次に、本実施形態に係る装着体３，４（保持体３、取付体４）の容器２への装着について、図７〜図９を参照しながら説明する。
【００３２】
図７及び図８に示すように、保持ベース部３１は、第１フランジ部２１ｄ及び第２フランジ部２１ｅ間に配置されている。そして、保持体３が自立している際には、容器２の重力が保持ベース部３１に働く。これにより、第１フランジ部２１ｄが保持ベース部３１に引っ掛かるため、保持体３が容器２に装着されている。
【００３３】
一方、取付ベース部４１は、第２フランジ部２１ｅ及び容器肩部２１ｆ間に配置されている。そして、突出部４３が、取付ベース部４１の下面（一方側の表面）から容器肩部２１ｆに向けて突出している。これにより、取付ベース部４１の上面（他方側の表面）は、第２フランジ部２１ｅに加圧して接しており、突出部４３は、容器肩部２１ｆに加圧して接している。
【００３４】
したがって、第２フランジ部２１ｅと容器肩部２１ｆとが取付体４を挟み込んでいるため、取付体４は、容器２に対して安定して装着されている。その結果、例えば、容器体１が取付部４２で対象物Ｘ１に取り付けられても、取付体４が容器２から取り外れることがない。
【００３５】
ところで、取付体４が容器２に装着される際には、出口部２１ｂが、開口部４１ａの一端から開口部４１ａの内部に挿入される。このとき、突出部４３が容器肩部２１ｆの上を加圧しながらスライドすることになる。そして、開口部４１ａが延びる方向が、突出部４３が延びる方向と同じであるため、図９に示すように、取付体４は、容器２に対して、突出部４３が延びる方向に、移動することになる。
【００３６】
これにより、突出部４３が容器肩部２１ｆと接する面積を、徐々に大きくすることができる。したがって、取付体４を容器２に装着する際に、突出部４３と容器肩部２１ｆとの間に生じる摩擦力を、徐々に大きくすることができる。その結果、急激に大きな摩擦力が発生したり、摩擦力が最大となる期間が長く続いたりすることを抑制することができるため、取付体４を容器２に装着することが容易となる。
【００３７】
以上より、本実施形態に係る容器装着具１ａ（本実施形態においては、取付体４）は、出口部２１ｂの外周から外方に突出する第１凸部２１ｅ（本実施形態においては、第２フランジ部２１ｅ）及び第２凸部２１ｆ（本実施形態においては、容器肩部２１ｆ）を有する容器２に、装着される容器装着具１ａであって、前記第１凸部２１ｅ及び前記第２凸部２１ｆ間に配置され、前記第１凸部２１ｅに接するベース部４１（本実施形態においては、取付ベース部４１）と、前記ベース部４１の表面から前記第２凸部２１ｆに向けて突出し、前記第２凸部２１ｆに接する突出部４３と、を備える。
【００３８】
斯かる構成によれば、ベース部４１は、第１凸部２１ｅに接している。そして、突出部４３は、ベース部４１の表面から第２凸部２１ｆに向けて突出し、第２凸部２１ｆに接している。これにより、第１凸部２１ｅ及び第２凸部２１ｆが、容器装着具１ａを挟み込むため、容器装着具１ａは、容器２に対して安定して装着される。
【００３９】
また、本実施形態に係る容器装着具１ａ（本実施形態においては、取付体４）においては、前記ベース部４１（本実施形態においては、取付ベース部４１）は、所定方向の一端が開放される開口部４１ａを備え、前記突出部４３は、前記所定方向に沿って延びる、という構成である。
【００４０】
斯かる構成によれば、出口部２１ｂが、開口部４１ａの一端から開口部４１ａの内部に挿入される際に、突出部４３は、第２凸部２１ｆの上をスライドする。このとき、突出部４３は、第２凸部２１ｆに対して、突出部４３が延びる方向に移動する。これにより、突出部４３が第２凸部２１ｆと接する面積を、徐々に大きくすることができる。
【００４１】
なお、容器体１は、上記した第１実施形態に係る容器体１の構成及び作用に限定されるものではない。例えば、上記した第１実施形態に係る容器体１に対して、以下のような変更が行われてもよい。
【００４２】
（１）上記第１実施形態に係る容器体１は、二つの装着体３，４、具体的には、保持体３と取付体４とを備えている、という構成である。しかしながら、容器体１は、斯かる構成に限られない。例えば、容器体１は、保持体３を備えておらず、取付体４だけを備えている、という構成でもよい。また、例えば、容器体１は、図１０に示すように、取付体４を備えておらず、保持体３だけを備えている、という構成でもよい。
【００４３】
（２）また、上記第１実施形態に係る容器体１においては、取付体４は、突出部４３を備えており、保持体３は、突出部を備えていない、という構成である。しかしながら、容器体１は、斯かる構成に限られない。例えば、図１０に示すように、保持体３は、突出部３４を備えている、即ち、容器装着具１ａである、という構成でもよい。また、例えば、図１１に示すように、保持体３及び取付体４は、それぞれ突出部３４，４３を備えている、即ち、それぞれ容器装着具１ａ，１ａである、という構成でもよい。
【００４４】
（３）また、上記第１実施形態に係る容器体１においては、ベース部４１は、第２フランジ部２１ｅに接し、突出部４３は、容器肩部２１ｆに接している、という構成である。しかしながら、容器体１は、斯かる構成に限られない。具体的には、ベース部４１は、複数の凸部２１ｄ〜２１ｆのうち、第１凸部に接し、突出部４３は、第１凸部とは別の第２凸部に接している、という構成であればよい。
【００４５】
例えば、ベース部４１は、第１フランジ部２１ｄに接し、突出部４３は、容器肩部２１ｆに接している、という構成でもよい。また、例えば、図１１に示すように、ベース部３１は、第１フランジ部２１ｄに接し、突出部３４は、第２フランジ部２１ｅに接している、という構成でもよい。
【００４６】
また、例えば、図１２に示すように、ベース部４１は、容器肩部２１ｆに接し、突出部４３は、第２フランジ部２１ｅに接している、という構成でもよい。図１２に係る突出部４３は、板状に形成されるベース部４１の一対の表面のうち、上面から突出している。
【００４７】
（４）また、上記第１実施形態に係る容器体１においては、ベース部４１の一対の表面は、それぞれ平面に形成されている、という構成である。しかしながら、容器体１においては、斯かる構成に限られない。例えば、図１２に示すように、ベース部４１の一対の表面のうち、少なくとも一方は、凹凸面又は湾曲面に形成されている、という構成でもよい。
【００４８】
図１２に係るベース部４１においては、一対の表面のうち、凸部２１に接する表面（図１２においては、下面）が、凹凸面に形成されている。なお、一対の表面のうち、突出部４３を備える表面が、凹凸面に形成されていてもよい。図１２に係るベース部４１は、板状に形成されるベース本体部４１ｃと、ベース本体部４１ｃから突出する突起４１ｄを備えている。なお、当該突起４１ｄの個数及び形状は、特に限定されない。
【００４９】
（５）また、上記第１実施形態に係る容器体１においては、突出部４３は、開口部４１ａが延びる方向に沿って、延びている、という構成である。しかしながら、容器体１は、斯かる構成に限られない。例えば、突出部４３は、開口部４１ａが延びる方向と直交する方向に、延びている、という構成でもよい。また、例えば、図１３に示すように、突出部４３は、ベース部４１の全体から突出する、という構成でもよい。
【００５０】
＜第２実施形態＞
次に、容器体における第２の実施形態について、図１４〜図１６を参照しながら説明する。なお、図１４〜図１６において、図１〜図９の符号と同一の符号を付した部分は、第１実施形態と略同様の構成又は略同様の機能（作用）を有する要素を表し、その説明は、繰り返さない。
【００５１】
本実施形態に係る容器体１は、第１実施形態に係る容器体１と比較して、取付体４の構成と、容器２に対する装着体３，４（保持体３、取付体４）の装着構造とで異なっている。本実施形態に係る容器装着具１ａは、二つの装着体３，４を備えている。具体的には、容器装着具１ａは、保持体３と、取付体４とを備えている。以下、取付体４の構成と、容器２に対する保持体３及び取付体４の装着構造とについて説明する。
【００５２】
図１４に示すように、取付体４は、取付ベース部４１から突出する突出部４３，４３を備えている。そして、突出部４３は、取付ベース部４１の表面から突出している。具体的には、取付ベース部４１は、板状に形成されており、突出部４３は、取付ベース部４１の一対の表面のうち、一方の表面（具体的には、上面）から、突出している。
【００５３】
そして、突出部４３は、取付ベース部４１の厚み方向に突出している。具体的には、取付ベース部４１の表面は、平面に形成されており、突出部４３は、取付ベース部４１の表面から、当該表面に対して直交する方向に突出している。なお、取付ベース部４１の一対の表面は、例えば、凹凸面又は湾曲面に形成されていてもよく、また、例えば、保持ベース部３１の一対の表面も、平面ではなく、凹凸面又は湾曲面に形成されていてもよい。
【００５４】
また、突出部４３は、平板状に形成されている。そして、突出部４３は、開口部４１ａが延びる方向に沿って、延びている。なお、突出部４３の個数は、特に限定されないが、本実施形態においては、突出部４３は、開口部４１ａを挟むように一対設けられている。
【００５５】
取付ベース部４１及び突出部４３は、それぞれ剛性を有しており、一体となっている。具体的には、突出部４３，４３は、取付ベース部４１に不動に固定されている。即ち、取付体４が容器２に装着されていない状態でも、突出部４３は、取付ベース部４１の表面から突出している。
【００５６】
図１５及び図１６に示すように、保持ベース部３１は、第１フランジ部２１ｄ及び第２フランジ部２１ｅ間に配置されており、取付ベース部４１は、第２フランジ部２１ｅ及び容器肩部２１ｆ間に配置されている。そして、突出部４３が、取付ベース部４１の上面（一方側の表面）から保持ベース部３１に向けて突出している。
【００５７】
これにより、突出部４３が、保持ベース部３１の下面（一方側の表面）に加圧して接しているため、保持ベース部３１の上面（他方側の表面）は、第１フランジ部２１ｄに加圧して接しており、取付ベース部４１の下面（他方側の表面）は、容器肩部２１ｆに加圧して接している。したがって、第１フランジ部２１ｄと容器肩部２１ｆとが保持ベース部３１及び取付ベース部４１を挟み込んでいるため、保持体３及び取付体４、即ち、容器装着具１ａは、容器２に対して安定して装着されている。
【００５８】
また、取付部４２は、取付ベース部４１に固定されており、取付ベース部４１は、保持ベース部３１よりも下方に配置されている。これにより、容器体１が取付部４２で対象物Ｘ１に取り付けられた場合には、容器２の重力は、保持ベース部３１と取付ベース部４１とが加圧して接する力となる。したがって、容器２を浮かして対象物Ｘ１に取り付けた場合でも、容器装着具１ａは、容器２に対して安定して装着される。その結果、容器装着具１ａが容器２から取り外れることがない。
【００５９】
以上より、本実施形態係る容器装着具１ａは、出口部２１ｂの外周から外方に突出する第１凸部２１ｄ（本実施形態においては、第１フランジ部２１ｄ）及び第２凸部２１ｆ（本実施形態においては、容器肩部２１ｆ）を有する容器２に、装着される容器装着具１ａであって、分離可能な第１装着体３（本実施形態においては、保持体３）及び第２装着体４（本実施形態においては、取付体４）を備え、前記第１装着体３は、前記第１凸部２１ｄ及び前記第２凸部２１ｆ間に配置されて前記第１凸部２１ｄに接する第１ベース部３１（本実施形態においては、保持ベース部３１）を備え、前記第２装着体４は、前記第１凸部２１ｄ及び前記第２凸部２１ｆ間に配置されて前記第２凸部２１ｆに接する第２ベース部４１（本実施形態においては、取付ベース部４１）と、前記第２ベース部４１の表面から前記第１ベース部３１に向けて突出し、前記第１ベース部３１に接する突出部４３と、を備える。
【００６０】
斯かる構成によれば、第１装着体３の第１ベース部３１は、第１凸部２１ｄに接していると共に、第２装着体４の第２ベース部４１は、第２凸部２１ｆに接している。そして、突出部４３は、第２ベース部４１の表面から第１ベース部３１に向けて突出し、第１ベース部３１に接している。これにより、第１凸部２１ｄ及び第２凸部２１ｆが第１ベース部３１及び第２ベース部４１を挟み込むため、容器装着具１ａは、容器２に対して安定して装着される。
【００６１】
また、本実施形態係る容器装着具１ａは、前記容器２を浮かして対象物Ｘ１に取り付けるための取付部４２を備え、前記取付部４２は、前記第１ベース部３１（本実施形態においては、保持ベース部３１）及び前記第２ベース部４１（本実施形態においては、取付ベース部４１）のうち、下方側に配置されるベース部４１（本実施形態においては、取付ベース部４１）に固定される、という構成である。
【００６２】
斯かる構成によれば、取付部４２によって、容器２を浮かして対象物Ｘ１に取り付けることができる。そして、取付部４２が、第１ベース部３１及び第２ベース部４１のうち、下方側に配置されるベース部４１に固定されているため、容器２の重力が、第１ベース部３１と第２ベース部４１とが加圧して接する力となる。これにより、容器２を浮かして対象物Ｘ１に取り付けた場合でも、容器装着具１ａは、容器２に対して安定して装着される。
【００６３】
なお、容器装着具１ａは、上記した第２実施形態に係る容器装着具１ａの構成及び作用に限定されるものではない。例えば、上記した第２実施形態に係る容器装着具１ａに対して、以下のような変更が行われてもよい。
【００６４】
（１）上記第２実施形態に係る容器装着具１ａにおいては、突出部４３は、取付体４に備えられている、という構成である。しかしながら、容器装着具１ａは、斯かる構成に限られない。例えば、図１７に示すように、突出部３４は、保持体３に備えられている、という構成でもよい。即ち、図１７に係る容器装着具１ａにおいては、取付体４が第１装着体４であり、保持体３が第２装着体３である。以下に、図１７に係る容器装着具１ａの構成について説明する。
【００６５】
図１７に示すように、保持ベース部３１は、第１フランジ部２１ｄ及び第２フランジ部２１ｅ間に配置されており、取付ベース部４１は、第２フランジ部２１ｅ及び容器肩部２１ｆ間に配置されている。そして、突出部３４が、保持ベース部３１から取付ベース部４１に向けて突出している。
【００６６】
これにより、突出部３４が、取付ベース部４１に加圧して接しているため、保持ベース部３１は、第１フランジ部２１ｄに加圧して接しており、取付ベース部４１は、容器肩部２１ｆに加圧して接している。したがって、第１フランジ部２１ｄと容器肩部２１ｆとが保持ベース部３１及び取付ベース部４１を挟み込んでいるため、保持体３及び取付体４、即ち、容器装着具１ａは、容器２に対して安定して装着されている。
【００６７】
（２）また、上記第２実施形態に係る容器装着具１ａにおいては、取付ベース部４１は、保持ベース部３１よりも、下方に配置されている、という構成である。しかしながら、容器装着具１ａは、斯かる構成が好ましいものの、斯かる構成に限られない。例えば、図１８に示すように、取付ベース部４１は、保持ベース部３１よりも、上方に配置されている、という構成でもよい。以下に、図１８に係る容器装着具１ａの構成について説明する。
【００６８】
図１８に示すように、取付ベース部４１は、第１フランジ部２１ｄ及び第２フランジ部２１ｅ間に配置されており、保持ベース部３１は、第２フランジ部２１ｅ及び容器肩部２１ｆ間に配置されている。そして、突出部４３が、取付ベース部４１から保持ベース部３１に向けて突出している。
【００６９】
これにより、突出部４３が、保持ベース部３１に加圧して接しているため、取付ベース部４１は、第１フランジ部２１ｄに加圧して接しており、保持ベース部３１は、容器肩部２１ｆに加圧して接している。したがって、第１フランジ部２１ｄと容器肩部２１ｆとが保持ベース部３１及び取付ベース部４１を挟み込んでいるため、保持体３及び取付体４、即ち、容器装着具１ａは、容器２に対して安定して装着されている。
【００７０】
（３）また、上記第２実施形態に係る容器装着具１ａにおいては、保持ベース部３１は、第１フランジ部２１ｄ及び第２フランジ部２１ｅ間に配置され、取付ベース部４１は、第２フランジ２１ｅ及び容器肩部２１ｆ間に配置されている、という構成である。しかしながら、容器装着具１ａは、斯かる構成に限られない。具体的には、一方のベース部３１（４１）が、複数の凸部２１ｄ〜２１ｆのうち、第１凸部に接し、他方のベース部４１（３１）が、第１凸部とは別の第２凸部に接している、という構成であればよい。
【００７１】
例えば、両方のベース部３１，４１が、第１フランジ部２１ｄ及び第２フランジ部２１ｅ間に配置され、一方のベース部３１（４１）が第１フランジ部２１ｄに接し、他方のベース部４１（３１）が第２フランジ部２１ｅに接している、という構成でもよい。また、例えば、図１９に示すように、両方のベース部３１，４１が、第２フランジ部２１ｅ及び容器肩部２１ｆ間に配置され、一方のベース部３１（４１）が第２フランジ部２１ｅに接し、他方のベース部４１（３１）が容器肩部２１ｆに接している、という構成でもよい。
【００７２】
（４）また、上記第２実施形態に係る容器装着具１ａにおいては、突出部４３は、開口部４１ａが延びる方向に沿って、延びている、という構成である。しかしながら、容器装着具１ａは、斯かる構成が好ましいものの、斯かる構成に限られない。例えば、突出部４３は、開口部４１ａが延びる方向と直交する方向に、延びている、という構成でもよい。また、例えば、突出部４３は、取付ベース部４１の全体から突出する、という構成でもよい。
【００７３】
（５）また、上記第２実施形態に係る容器装着具１ａは、取付体４を容器２に装着させる際に、突出部４３を案内する案内部を備えている、という構成でもよい。例えば、保持体３の保持ベース部３１（即ち、突出部４３を備えていないベース部３１）は、突出部４３を案内するために、凹凸状に形成される案内部を備えている、という構成でもよい。
【００７４】
＜第３実施形態＞
次に、容器体１における第３の実施形態について、図２０〜図２２を参照しながら説明する。なお、図２０〜図２２において、図１４〜図１６の符号と同一の符号を付した部分は、第２実施形態と略同様の構成又は略同様の機能（作用）を有する要素を表し、その説明は、繰り返さない。
【００７５】
本実施形態に係る容器体１は、第２実施形態に係る容器体１と比較して、取付体４の構成と、容器２に対する装着体３，４（保持体３、取付体４）の装着構造とで異なっている。以下、取付体４の構成と、容器２に対する装着体３，４（保持体３、取付体４）の装着構造とについて説明する。
【００７６】
図２０に示すように、取付体４は、取付ベース部４１から突出する突出部４３，４３を備えている。そして、突出部４３は、取付ベース部４１の表面から突出している。具体的には、取付ベース部４１は、板状に形成されており、突出部４３は、取付ベース部４１の一対の表面のうち、一方の表面（具体的には、下面）から、突出している。
【００７７】
そして、突出部４３は、取付ベース部４１の厚み方向に突出している。具体的には、取付ベース部４１の表面は、平面に形成されており、突出部４３は、取付ベース部４１の表面から、当該表面に対して直交する方向に突出している。なお、取付ベース部４１の一対の表面は、例えば、凹凸面又は湾曲面に形成されていてもよく、また、例えば、保持ベース部３１の一対の表面も、平面ではなく、凹凸面又は湾曲面に形成されていてもよい。
【００７８】
また、突出部４３は、平板状に形成されている。そして、突出部４３は、開口部４１ａが延びる方向に沿って、延びている。なお、突出部４３の個数は、特に限定されないが、本実施形態においては、突出部４３は、開口部４１ａを挟むように一対設けられている。
【００７９】
取付ベース部４１及び突出部４３は、それぞれ剛性を有しており、一体となっている。具体的には、突出部４３，４３は、取付ベース部４１に不動に固定されている。即ち、取付体４が容器２に装着されていない状態でも、突出部４３は、取付ベース部４１の表面から突出している。
【００８０】
図２１及び図２２に示すように、保持ベース部３１は、第２フランジ部２１ｅ及び容器肩部２１ｆ間に配置されており、取付ベース部４１は、保持ベース部３１よりも下方であって、第２フランジ部２１ｅ及び容器肩部２１ｆ間に配置されている。そして、突出部４３が、取付ベース部４１の下面（一方側の表面）から容器肩部２１ｆに向けて突出している。
【００８１】
これにより、突出部４３が、容器肩部２１ｆに加圧して接しているため、保持ベース部３１の上面（一方側の表面）は、第２フランジ部２１ｅに加圧して接しており、取付ベース部４１の上面（他方側の表面）は、保持ベース部３１の下面（他方側の表面）に加圧して接している。したがって、第２フランジ部２１ｅと容器肩部２１ｆとが保持ベース部３１及び取付ベース部４１を挟み込んでいるため、保持体３及び取付体４、即ち、容器装着具１ａは、容器２に対して安定して装着されている。
【００８２】
また、取付部４２は、取付ベース部４１に固定されており、取付ベース部４１は、保持ベース部３１よりも下方に配置されている。これにより、容器体１が取付部４２で対象物Ｘ１に取り付けられた場合には、容器２の重力は、保持ベース部３１と取付ベース部４１とが加圧して接する力となる。したがって、容器２を浮かして対象物Ｘ１に取り付けた場合でも、容器装着具１ａは、容器２に対して安定して装着される。その結果、容器装着具１ａが容器２から取り外れることがない。
【００８３】
以上より、本実施形態係る容器装着具１ａは、出口部２１ｂの外周から外方に突出する第１凸部２１ｅ（本実施形態においては、第２フランジ部２１ｅ）及び第２凸部２１ｆ（本実施形態においては、容器肩部２１ｆ）を有する容器２に、装着される容器装着具１ａであって、分離可能な第１装着体３（本実施形態においては、保持体３）及び第２装着体４（本実施形態においては、取付体４）を備え、前記第１装着体３は、前記第１凸部２１ｅ及び前記第２凸部２１ｆ間に配置されて前記第１凸部２１ｅに接する第１ベース部３１（本実施形態においては、保持ベース部３１）と、前記第２装着体４は、前記第１凸部２１ｅ及び前記第２凸部２１ｆ間に配置されて前記第１ベース部３１に接する第２ベース部４１（本実施形態においては、取付ベース部４１）と、前記第２ベース部４１の表面から前記第２凸部２１ｆに向けて突出し、前記第２凸部２１ｆに接する突出部４３と、を備える。
【００８４】
斯かる構成によれば、第１装着体３の第１ベース部３１は、第１凸部２１ｅに接していると共に、第２装着体４の第２ベース部４１は、第１ベース部３１に接している。そして、突出部４３は、第２ベース部４１の表面から第２凸部２１ｆに向けて突出し、第２凸部２１ｆに接している。これにより、第１凸部２１ｅ及び第２凸部２１ｆが第１ベース部３１及び第２ベース部４１を挟み込むため、容器装着具１ａは、容器２に対して安定して装着される。
【００８５】
また、本実施形態係る容器装着具１ａは、前記容器２を浮かして対象物Ｘ１に取り付けるための取付部４２を備え、前記取付部４２は、前記第１ベース部３１（本実施形態においては、保持ベース部３１）及び前記第２ベース部４１（本実施形態においては、取付ベース部４１）のうち、下方側に配置されるベース部４１（本実施形態においては、取付ベース部４１）に固定される、という構成である。
【００８６】
斯かる構成によれば、取付部４２によって、容器２を浮かして対象物Ｘ１に取り付けることができる。そして、取付部４２が、第１ベース部３１及び第２ベース部４１のうち、下方側に配置されるベース部４１に固定されているため、容器２の重力が、第１ベース部３１と第２ベース部４１とが加圧して接する力となる。これにより、容器２を浮かして対象物Ｘ１に取り付けた場合でも、容器装着具１ａは、容器２に対して安定して装着される。
【００８７】
なお、容器装着具１ａは、上記した第３実施形態に係る容器装着具１ａの構成及び作用に限定されるものではない。例えば、上記した第３実施形態に係る容器装着具１ａに対して、以下のような変更が行われてもよい。
【００８８】
（１）上記第３実施形態に係る容器装着具１ａにおいては、突出部４３は、取付体４に備えられている、という構成である。しかしながら、容器装着具１ａは、斯かる構成に限られない。例えば、図２３に示すように、突出部３４は、保持体３に備えられている、という構成でもよい。即ち、図２３に係る容器装着具１ａにおいては、取付体４が第１装着体４であり、保持体３が第２装着体３である。以下に、図２３に係る容器装着具１ａの構成について説明する。
【００８９】
図２３に示すように、保持ベース部３１は、第２フランジ部２１ｅ及び容器肩部２１ｆ間に配置されており、取付ベース部４１は、保持ベース部３１よりも下方であって、第２フランジ部２１ｅ及び容器肩部２１ｆ間に配置されている。そして、突出部３４が、保持ベース部３１から第２フランジ部２１ｅに向けて突出している。
【００９０】
これにより、突出部３４が、第２フランジ部２１ｅに加圧して接しているため、保持ベース部３１は、取付ベース部４１に加圧して接しており、取付ベース部４１は、容器肩部２１ｆに加圧して接している。したがって、第２フランジ部２１ｅと容器肩部２１ｆとが保持ベース部３１及び取付ベース部４１を挟み込んでいるため、保持体３及び取付体４、即ち、容器装着具１ａは、容器２に対して安定して装着されている。
【００９１】
（２）また、上記第３実施形態に係る容器装着具１ａにおいては、取付ベース部４１は、保持ベース部３１よりも、下方に配置されている、という構成である。しかしながら、容器装着具１ａは、斯かる構成が好ましいものの、斯かる構成に限られない。例えば、図２４に示すように、取付ベース部４１は、保持ベース部３１よりも、上方に配置されている、という構成でもよい。以下に、図２４に係る容器装着具１ａの構成について説明する。
【００９２】
図２４に示すように、保持ベース部３１は、第２フランジ部２１ｅ及び容器肩部２１ｆ間に配置されており、取付ベース部４１は、保持ベース部３１より上方であって、第２フランジ部２１ｅ及び容器肩部２１ｆ間に配置されている。そして、突出部４３が、取付ベース部４１から第２フランジ部２１ｅに向けて突出している。
【００９３】
これにより、突出部４３が、第２フランジ部２１ｅに加圧して接しているため、取付ベース部４１は、保持ベース部３１に加圧して接しており、保持ベース部３１は、容器肩部２１ｆに加圧して接している。したがって、第２フランジ部２１ｅと容器肩部２１ｆとが保持ベース部３１及び取付ベース部４１を挟み込んでいるため、保持体３及び取付体４、即ち、容器装着具１ａは、容器２に対して安定して装着されている。
【００９４】
（３）また、上記第３実施形態に係る容器装着具１ａにおいては、保持ベース部３１及び取付ベース部４１は、第２フランジ部２１ｅ及び容器肩部２１ｆ間に配置されている、という構成である。しかしながら、容器装着具１ａは、斯かる構成に限られない。具体的には、保持ベース部３１及び取付ベース部４１は、複数の凸部２１ｄ〜２１ｆのうち、第１凸部及び第２凸部間に、それぞれ配置されている、という構成であればよい。
【００９５】
（４）また、上記第３実施形態に係る容器装着具１ａにおいては、突出部４３は、開口部４１ａが延びる方向に沿って、延びている、という構成である。しかしながら、容器装着具１ａは、斯かる構成が好ましいものの、斯かる構成に限られない。例えば、突出部４３は、開口部４１ａが延びる方向と直交する方向に、延びている、という構成でもよい。また、例えば、突出部４３は、取付ベース部４１の全体から突出する、という構成でもよい。
【００９６】
なお、容器体１及び容器装着具１ａは、上記した実施形態の構成に限定されるものではなく、また、上記した作用効果に限定されるものではない。また、容器体１及び容器装着具１ａは、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に一つ又は複数選択して、上記した実施形態に係る構成や方法等に採用してもよいことは勿論である。
【００９７】
（１）上記第１〜第３実施形態に係る容器装着具１ａは、突出部３４，４３は、板状に形成されている、という構成である。しかしながら、容器装着具１ａは、斯かる構成に限られない。例えば、突出部３４，４３は、半球状又は柱状に形成されている、という構成でもよい。そして、斯かる構成においては、例えば、突出部３４，４３は、開口部３１ａ，４１ａが延びる方向に沿って並列されている、という構成でもよい。
【００９８】
（２）また、上記第１〜第３実施形態に係る容器体１及び容器装着具１ａは、脚部３２を有して自立可能な機能を有していたり、取付部４２を有して対象物Ｘ１に取り付けられる機能を有していたりしている、という構成である。しかしながら、容器体１及び容器装着具１ａは、斯かる構成に限られない。例えば、容器体１及び容器装着具１ａは、それらのうち一方の機能のみを有している、という構成でもよく、それらとは異なる機能を有している、という構成でもよい。
【００９９】
（３）また、上記第１〜第３実施形態に係る容器装着具１ａは、出口部２１ｂが収容部２１ａよりも上方に位置する（出口部２１ｂの開口が上向きである）状態の容器２に対して、装着されている、という構成である。しかしながら、容器体１及び容器装着具１ａは、斯かる構成に限られない。例えば、容器装着具１ａは、出口部２１ｂが収容部２１ａよりも下方に位置する（出口部２１ｂの開口が下向きである）状態の容器２に対して、装着されている、という構成でもよく、また、出口部２１ｂが収容部２１ａと横並びに位置する（出口部２１ｂの開口が横向きである）状態の容器２に対して、装着されている、という構成でもよい。
【符号の説明】
【０１００】
１…容器体、１ａ…容器装着具、２…容器、３…保持体（装着体）、４…取付体（装着体）、２１…容器本体、２１ａ…収容部、２１ｂ…出口部、２１ｃ…ネジ部、２１ｄ…第１フランジ部（凸部）、２１ｅ…第２フランジ部（凸部）、２１ｆ…容器肩部（凸部）、２１ｇ…第３フランジ部、２２…着脱体、３１…保持ベース部、３１ａ…開口部、３１ｂ…引掛部、３２…脚部、３３…壁当部、３４…突出部、４１…取付ベース部、４１ａ…開口部、４１ｂ…引掛部、４１ｃ…ベース本体部、４１ｄ…突起、４２…取付部、４３…突出部、Ｘ１…対象物、Ｘ２…壁
【図１】
2020158123.tif 000003
【図２】
2020158123.tif 000004
【図３】
2020158123.tif 000005
【図４】
2020158123.tif 000006
【図５】
2020158123.tif 000007
【図６】
2020158123.tif 000008
【図７】
2020158123.tif 000009
【図８】
2020158123.tif 000010
【図９】
2020158123.tif 000011
【図１０】
2020158123.tif 000012
【図１１】
2020158123.tif 000013
【図１２】
2020158123.tif 000014
【図１３】
2020158123.tif 000015
【図１４】
2020158123.tif 000016
【図１５】
2020158123.tif 000017
【図１６】
2020158123.tif 000018
【図１７】
2020158123.tif 000019
【図１８】
2020158123.tif 000020
【図１９】
2020158123.tif 000021
【図２０】
2020158123.tif 000022
【図２１】
2020158123.tif 000023
【図２２】
2020158123.tif 000024
【図２３】
2020158123.tif 000025
【図２４】
2020158123.tif 000026